(57)【要約】【課題】  被検体が体軸方向以外の方向に動いた場合であっても体動補正を行える核医学診断装置を提供する。【解決手段】  再構成処理部６により作成された３次元の再構成データを収集投影データと同一の方向に投影して２次元の推定投影データを作成する推定データ作成部７と、この推定投影データと収集投影データとの誤差を算出する誤差算出手段８Ａと、算出された誤差を小さくするように収集投影データを補正するデータ補正手段８Ｃとを備え、再構成処理部６は、補正された収集投影データを再構成して新たな再構成データを作成する。制御部８は、この新たな再構成データに基づく放射性同位元素の分布画像を表示モニタ１１に表示する。また、この新たな再構成データから新たな推定投影データを作成して、収集投影データを逐次補正することもできる。【選択図】      図１
2006250842.tif 000002
【特許請求の範囲】
【請求項１】
被検体内に投与された放射性同位元素から放出される放射線を検出して２次元の投影データを収集するデータ収集手段と、
当該収集された投影データを再構成して、前記被検体内を伝搬するときの前記放射線の減弱の影響を反映させた３次元の再構成データを作成する再構成処理手段と、
を有し、当該作成された前記再構成データに基づく前記被検体内における前記放射性同位元素の分布画像を表示手段に表示させる核医学診断装置であって、
前記再構成処理手段により得られた前記再構成データを前記投影データと同一の方向に投影して２次元の推定投影データを作成する推定データ作成手段と、
当該作成された前記推定投影データと前記投影データとの誤差を算出する誤差算出手段と、
当該算出された前記誤差を小さくするように前記投影データを補正するデータ補正手段と、
を備え、前記再構成処理手段は、当該補正された前記投影データを再構成して新たな前記再構成データを作成し、前記表示手段は、当該新たな再構成データに基づく前記放射性同位元素の分布画像を表示することを特徴とする核医学診断装置。
【請求項２】
前記推定データ作成手段は、前記再構成処理手段により作成された前記新たな再構成データに基づいて新たな前記推定投影データを作成し、
前記誤差算出手段は、当該新たな推定投影データと前記収集された投影データとの誤差を算出し、
前記データ補正手段は、前記新たな推定投影データに対する前記誤差を小さくするように前記収集された投影データを補正する、
ことにより、前記収集された投影データを逐次補正することを特徴とする請求項１に記載の核医学診断装置。
【請求項３】
前記誤差を所定値よりも小さくするように前記データ補正手段を制御する制御手段を更に備えていることを特徴とする請求項１又は請求項２に記載の核医学診断装置。
【請求項４】
前記誤差算出手段により算出された前記誤差が所定値以上である前記推定投影データと前記収集された投影データとのペアを選択するデータ選択手段を更に備え、
前記データ補正手段が補正する前記投影データは、前記データ選択手段により選択されたペアの前記収集された投影データであることを特徴とする請求項１ないし請求項３のいずれか一項に記載の核医学診断装置。
【請求項５】
前記表示手段は、前記収集された投影データと前記推定投影データとを重畳させて表示し、
当該重畳表示された前記投影データと前記推定投影データとのペアのうちから、所望の前記ペアを手動で選択するための選択操作手段を更に備え、
データ補正手段が補正する前記投影データは、前記選択操作手段にて選択されたペアの前記収集された投影データであることを特徴とする請求項１ないし請求項３のいずれか一項に記載の核医学診断装置。
【請求項６】
前記表示手段は、前記データ補正手段により補正された前記投影データと、前記推定データ作成手段により作成された前記推定投影データとを重畳させて表示し、
当該重畳表示された前記投影データを前記推定投影データの表示位置に合わせるように手動で移動させるための表示位置移動操作手段を更に備え、
前記再構成手段は、前記表示位置移動操作手段による前記移動によって前記推定投影データとの誤差が調整された前記投影データを再構成して新たな前記再構成データを作成し、前記表示手段は、当該新たな前記再構成データに基づく前記放射性同位元素の分布画像を表示することを特徴とする請求項１ないし請求項５のいずれか一項に記載の核医学診断装置。
【発明の詳細な説明】
【技術分野】
【０００１】
本発明は、被検体内のＲＩ（Ｒａｄｉｏｉｓｏｔｏｐｅ；放射性同位元素）で標識された薬剤の分布を画像として描出する核医学診断装置に関し、特に、被検体の体動補正を有効に行うための技術に関するものである。
【背景技術】
【０００２】
近年、ＳＰＥＣＴ（Ｓｉｎｇｌｅ  Ｐｈｏｔｏｎ  Ｅｍｉｓｓｉｏｎ  Ｃｏｍｐｕｔｅｄ  Ｔｏｍｏｇｒａｐｈｙ）装置やＰＥＴ（Ｐｏｓｉｔｒｏｎ  Ｅｍｉｓｓｉｏｎ  Ｔｏｍｏｇｒａｐｈｙ）装置、あるいはこれら双方の機能を備えたＳＰＥＣＴ／ＰＥＴ装置などの核医学診断装置が臨床に供され、注目を集めている。
【０００３】
ＳＰＥＣＴ装置は、患者等の被検体に投与されたＲＩから放出されるガンマ線等の放射線を放射線検出器で検出して、被検体内におけるＲＩの分布画像を取得することにより、体内の病変部の画像や、血流量、脂肪酸代謝量などの機能分布画像を表示する装置である。また、ＰＥＴ装置は、複数の放射線検出器を備え、陽電子が電子と結合して消滅する際に互いに逆方向に放出される一対のガンマ線を同時検出してイメージングを行う装置である。
【０００４】
このような核医学診断装置による検査は、被検体内のＲＩからの放射線を検出する検出器を被検体の体軸周りに回転させて行う。この検査においては、１回の投影における収集時間が長いことから、例えば２０〜３０分程度の検査時間が必要である。そのため、検査中に被検体が動いてしまうことが間々ある。このような被検体の動き（体動）は、画像の画質を劣化させる一要因であり、この体動が大きい場合などには再検査を要することもある。そのため、核医学診断装置においては、被検体に体動が生じた場合でも、その影響を補正して良好な画像を取得するためのデータ補正、いわゆる体動補正に関わる処理が重要性を持つ。
【０００５】
被検体が体位を移動させた場合等については、次のような体動補正の手法が用いられている。まず、被検体に投与されたＲＩからの放射線を検出して複数の投影データを収集し、投影データを被検体の体軸方向に加算してライノグラムを作成する。次に、このライノグラム上において着目部位（画像取得対象の体内部位；心臓、肝臓など）を囲む所定領域の重心を算出し、放射線検出時の投影角度毎にこの重心の変化を求める。そして、この重心の変化が被検体の体位の移動によるものと仮定したうえで、重心の位置が一定になるように各投影データを体軸方向にシフトさせることにより、被検体の体軸方向における体動を補正する。
【０００６】
しかし、この手法では、被検体の体軸方向における体動については補正できるが、体軸方向以外の方向に移動した場合、すなわち被検体の体動が体軸方向に直交する方向の成分を含んでいる場合については、補正を高精度で行えないという問題がある。また、当該手法では、着目部位の周りに上記の所定領域を設定する必要があるため、明瞭な画像を表示可能な着目部位にしか適用できない。そのような着目部位は現状では心臓に限られており、当該体動補正手法の適用範囲は大きく限定されたものとなっている。
【０００７】
ところで、収集された投影データを再構成する前の前処理として回転中心補正を実行可能な核医学診断装置が広く利用されている（例えば特許文献１を参照）。この回転中心補正は、定期点検等において収集された回転中心の移動量の測定値（補正量）に基づいて投影データを補正する処理である。この移動量の測定値は、例えば次のようにして取得される。まず、放射線検出器の回転中心にポイントソース（点線源）を配置し、当該ポイントソースの複数の収集角度における投影データを放射線検出器により収集する。そして、各収集角度について、投影データの画像中心に対するポイントソースのズレを測定する。その測定結果を逆算することにより、実際の検査において収集される投影データの補正量が決定される。なお、核医学診断装置が放射線検出器を複数備えている場合には、各検出器毎に補正量を取得する。
【０００８】
しかし、このような従来の回転中心補正は、投影データ収集後の前処理においてのみ実行されるので、被検体の体動に起因する一時的な回転中心のズレを補正するためには使用できない。それにより、従来の核医学診断装置では、体動が発生した場合における投影データのズレの影響により、高精度の検査を行うことが困難であった。
【０００９】
【特許文献１】特開２００１−５９８７２号公報
【発明の開示】
【発明が解決しようとする課題】
【００１０】
本発明は、このような事情に鑑みてなされたもので、被検体が体軸方向に動いた場合だけでなく、それ以外の方向に動いた場合であっても体動補正を好適に行うことが可能な核医学診断装置を提供することを目的としている。
【００１１】
また、本発明は、着目部位の画像を明瞭に表示することができない場合であっても、被検体の体全体の変位に着目することによって体動補正を好適に行うことが可能な核医学診断装置を提供することを他の目的としている。
【課題を解決するための手段】
【００１２】
上記目的を達成するために、請求項１に記載の発明は、被検体内に投与された放射性同位元素から放出される放射線を検出して２次元の投影データを収集するデータ収集手段と、当該収集された投影データを再構成して、前記被検体内を伝搬するときの前記放射線の減弱の影響を反映させた３次元の再構成データを作成する再構成処理手段と、を有し、当該作成された前記再構成データに基づく前記被検体内における前記放射性同位元素の分布画像を表示手段に表示させる核医学診断装置であって、前記再構成処理手段により得られた前記再構成データを前記投影データと同一の方向に投影して２次元の推定投影データを作成する推定データ作成手段と、当該作成された前記推定投影データと前記投影データとの誤差を算出する誤差算出手段と、当該算出された前記誤差を小さくするように前記投影データを補正するデータ補正手段と、を備え、前記再構成処理手段は、当該補正された前記投影データを再構成して新たな前記再構成データを作成し、前記表示手段は、当該新たな再構成データに基づく前記放射性同位元素の分布画像を表示することを特徴とする。
【００１３】
また、上記目的を達成するために、請求項２に記載の発明は、請求項１に記載の核医学診断装置であって、前記推定データ作成手段は、前記再構成処理手段により作成された前記新たな再構成データに基づいて新たな前記推定投影データを作成し、前記誤差算出手段は、当該新たな推定投影データと前記収集された投影データとの誤差を算出し、前記データ補正手段は、前記新たな推定投影データに対する前記誤差を小さくするように前記収集された投影データを補正する、ことにより、前記収集された投影データを逐次補正することを特徴とする。
【００１４】
また、上記目的を達成するために、請求項３に記載の発明は、請求項１又は請求項２に記載の核医学診断装置であって、前記誤差が所定値に入るように前記データ補正手段を制御する制御手段を更に備えていることを特徴とする。
【００１５】
また、上記目的を達成するために、請求項４に記載の発明は、請求項１ないし請求項３のいずれか一項に記載の核医学診断装置であって、前記誤差算出手段により算出された前記誤差が所定値以上である前記推定投影データと前記収集された投影データとのペアを選択するデータ選択手段を更に備え、前記データ補正手段が補正する前記投影データは、前記データ選択手段により選択されたペアの前記収集された投影データであることを特徴とする。
【００１６】
また、上記目的を達成するために、請求項５に記載の発明は、請求項１ないし請求項３のいずれか一項に記載の核医学診断装置であって、前記表示手段は、前記収集された投影データと前記推定投影データとを重畳させて表示し、当該重畳表示された前記投影データと前記推定投影データとのペアのうちから、所望の前記ペアを手動で選択するための選択操作手段を更に備え、データ補正手段が補正する前記投影データは、前記選択操作手段にて選択されたペアの前記収集された投影データであることを特徴とする。
【００１７】
また、上記目的を達成するために、請求項６に記載の発明は、請求項１ないし請求項５のいずれか一項に記載の核医学診断装置であって、前記表示手段は、前記データ補正手段により補正された前記投影データと、前記推定データ作成手段により作成された前記推定投影データとを重畳させて表示し、当該重畳表示された前記投影データを前記推定投影データの表示位置に合わせるように手動で移動させるための表示位置移動操作手段を更に備え、前記再構成手段は、前記表示位置移動操作手段による前記移動によって前記推定投影データとの誤差が調整された前記投影データを再構成して新たな前記再構成データを作成し、前記表示手段は、当該新たな前記再構成データに基づく前記放射性同位元素の分布画像を表示することを特徴とする。
【発明の効果】
【００１８】
請求項１に記載の本発明の核医学診断装置によれば、推定データ作成手段が３次元の再構成データを投影データが収集されたと同一の方向に投影して２次元の推定投影データを作成し、誤差算出手段がこの推定投影データと投影データとの誤差を算出し、データ補正手段が当該誤差を小さくするように投影データの補正を行う。したがって、２次元の推定投影データに基づいて、被検体の体軸方向及びそれに直交する方向の体動補正を行うことが可能となる。
【００１９】
また、この推定投影データに基づいて自動的に体動補正が行われるので、着目部位の画像を明瞭に表示することができない場合であっても体動補正を好適に行うことが可能である。
【００２０】
請求項２に記載の本発明の核医学診断装置によれば、前回の補正結果に基づいて推定投影データを逐次作成し、この推定投影データとの誤差が小さくなるように投影データを逐次補正することができるので、体動補正の高精度化を図ることが可能である。
【発明を実施するための最良の形態】
【００２１】
本発明に係る核医学診断装置の好適な実施形態の一例について、図面を参照しながら詳細に説明する。以下、本発明に係る核医学診断装置の一例であるＳＰＥＣＴ装置について説明する。なお、例えばＰＥＴ装置やＳＰＥＣＴ／ＰＥＴ装置等の核医学診断装置における本発明に係る構成及び処理は、以下に説明するＳＰＥＣＴ装置と同様である。
【００２２】
［核医学診断装置の構成］
図１に、本実施形態の核医学診断装置の概略構成を示す。同図に示す核医学診断装置１は、核医学検査（ＳＰＥＣＴ検査）において被検体内のＲＩから放出される放射線（ガンマ線）の２次元投影データを収集するための構成として、当該放射線を検出する２次元の検出器２Ａ、２Ｂ、２Ｃ（まとめて「検出器２」と称することがある）と、これら各検出器２による検出結果から放射線の検出位置を計算する電気回路からなる位置計算部３と、位置計算部３による計算結果を受けて各検出器２による投影データとして収集するデータ収集部４とを有する。データ収集部４により収集された投影データ（収集投影データと略称することがある）は、前処理部５に送信される。ここで、検出器２、位置計算部３及びデータ収集部４は、本発明にいうデータ収集手段を構成している。
【００２３】
検出器２Ａ、２Ｂ、２Ｃは、被検体の体軸を中心として同軸状に配置されており、放射線が入射される入射面側には放射線を光信号に変換するシンチレータを備え、その背面側にはシンチレータからの光信号を増幅するとともに電気信号に変換する光電子増倍管を備えている。シンチレータの入射面には、放射線の入射方向を制限するための鉛製のコリメータが縦横に配置されている。検出器２は、モータ等を含んで構成される回転駆動装置によって被検体の体軸周りを回転駆動されながら、被検体内を伝搬した放射線の検出を行う。なお、本実施形態では検出器が３つ設けられているが、本発明に係る核医学診断装置はこれに限定されず、例えば１つあるいは２つの検出器を有する構成としてもよい。
【００２４】
前処理部５は、本発明における前処理手段を構成するもので、被検体内部の画像を作成するための前処理として、データ収集部４により収集された収集投影データに対して各種の補正処理を施す。そのために、前処理部５には、放射線が被検体内を伝搬するときのコンプトン散乱に起因する減弱の影響を補正する散乱線補正を行う散乱性補正手段５Ａと、各検出器２が上記回転駆動装置によって回転されるときの回転中心位置の移動に起因する投影データのズレを補正する回転中心補正を行う回転中心補正手段５Ｂと、収集された投影データの均一性を補正する均一性補正を行う均一性補正手段５Ｃとを含んでいる。これらの補正処理は、従来の手順にしたがって実行される。なお、前処理手段５は、これら補正手段のうち少なくともいずれかを備えていればよいが、検査を高精度に行うためにこれら全てを備えていることが好ましい。前処理部５による処理が施された収集投影データは、再構成部６及び制御部８に送信される。
【００２５】
再構成処理部６は、本発明の再構成処理手段を構成するもので、前処理部５によって前処理が施された２次元の投影データを受け、３次元逆投影法や３次元高速フーリエ変換（ＦＦＴ）法などの公知の方法により当該投影データを再構成して３次元の再構成データを作成する処理を行う。また、再構成処理部６は、ＲＩからの放射線が被検体内を伝搬するときに受ける強度の減弱作用を補正する減弱補正手段６Ａを備えている。再構成処理部６により作成された再構成データは、推定データ作成部７及び制御部８に送信される。
【００２６】
推定データ作成部７は、本発明の推定データ作成手段を構成するもので、再構成処理部６からの再構成データに基づいて２次元の推定投影データを作成する。推定投影データの作成方法は、３次元の再構成データを上記収集投影データと同様の投影方向にそれぞれ投影（加算や線積分など）することによって実行される。作成された推定投影データは、制御部８に送信される。なお、この推定投影データは、収集された投影データを補正して被検体の体動補正の補正量を推定するためのデータである。
【００２７】
制御部８は、前処理部５から送信された収集投影データを記憶部９の収集投影データ記憶部９Ａに保存する処理、推定データ作成部７から送信された推定投影データを記憶部９の推定投影データ記憶部９Ｂに保存する処理、及び、再構成処理部６から送信された再構成データを記憶部９の再構成データ記憶部９Ｃに保存する処理をそれぞれ実行する。記憶部９に保存されたこれらのデータは、制御部８によって適宜呼び出されて各種処理に供される。
【００２８】
また、制御部８は、操作部１０からの操作信号を受けて、その操作信号に応じた処理を核医学診断装置に実行させるための制御を行う。ここで、操作部１０は、本発明の選択操作手段及び表示位置移動操作手段を構成するもので、キーボード、マウス、トラックボール、液晶ディスプレイ（ＬＣＤ）等の操作パネルなど、任意の入力デバイスから構成される。
【００２９】
更に、制御部８は、収集投影データや推定投影データ、あるいは再構成データに基づく被検体内におけるＲＩの分布画像などを表示モニタ１１に表示させるための制御を実行する。制御部８は、複数のこれら投影データを同時に表示させることができる。特に、収集投影データと推定投影データを座標値等を合わせて合成することにより、これらを表示モニタ１１上にて重畳して表示させることができる。このとき、オペレータが操作部１０を操作すると、制御部８は、その操作信号に基づいて、重畳表示された収集投影データの表示位置を移動させるように表示モニタ１１を制御することもできる。また、制御部８は、核医学診断装置１の操作画面や検査結果画面などの各種画面を表示モニタ１１に表示させるための制御を行う。ここで、表示モニタ１１は、本発明にいう表示手段を構成するもので、ＬＣＤやＣＲＴ等の表示装置によって構成される。
【００３０】
また、制御部８は、記憶部９に保存された収集投影データと推定投影データとの誤差を算出する誤差算出手段８Ａと、当該誤差が所定値以上であるか否か判断し、当該所定値以上と判断された収集投影データ及び推定投影データのペアを選択するデータ選択手段８Ｂと、この選択された収集投影データ及び推定投影データのペアのうち、収集投影データを推定投影データに合わせるように補正するデータ補正手段８Ｃとを備えている。誤差算出手段８Ａにより算出される誤差は、例えば、収集投影データ及び推定投影データの２次元データとしての分散や標準偏差の値などについて算出される。また、下記の［数１］に示す数式を用いたＮＭＳＥ（Ｎｏｒｍａｌｉｚｅｄ  Ｍｅａｎ  Ｓｑｕａｒｅ  Ｅｒｒｏｒ）法によって、収集投影データと推定投影データとの偏差２乗誤差を求め、その値が最小となるような位置を推定することもできる。データ補正手段８Ｃによる補正処理としては、例えば最小二乗法等の公知の方法が用いられる。制御部８は、データ補正手段８Ｃによる収集投影データの補正量の情報を、記憶部９の補正量記憶部９Ｄに保存するようになっている。また、データ補正手段８Ｃは、後述のような回転中心補正を補正処理のなかで行うこともできる。なお、制御部８は、本発明にいう制御手段を構成している。
【００３１】
【数１】
2006250842.tif 000003
ｆ（ｘ、ｙ）は基準となる画像、ｇ（ｘ、ｙ）は処理に係る画像をそれぞれ表す。
【００３２】
データ収集部４、前処理部５、再構成処理部６、推定データ作成部７及び制御部８は、ＣＰＵ等の演算制御手段が所定のコンピュータプログラムを実行することによって上述の動作を行う。また、記憶部９は、ハードディスクドライブ（ＨＤＤ）等の書込／読出が可能な記憶装置から構成され、収集投影データ記憶部９Ａ、推定投影データ記憶部９Ｂ、再構成データ記憶部９Ｃ及び補正量記憶部９Ｄは、このＨＤＤ等に設定されたディレクトリから構成されている。
【００３３】
［核医学診断装置による処理手順］
以上のような構成を備えた本実施形態の核医学診断装置１により実行される体動補正処理の手順の一例について説明する。図２のフローチャートは、核医学診断装置１による処理手順の流れを示している。
【００３４】
まず、検出器２、位置計算部３及びデータ収集部４が、通常の核医学検査（ＳＰＥＣＴ検査）と同様の処理を行い、被検体内のＲＩから放出される放射線を検出して投影データの収集を実行する（Ｓ０１）。このとき、被検体の心臓や肝臓等の着目部位を含む領域について、例えば３０スライスの投影データが収集される。収集された投影データ（収集投影データ）は、各スライス毎に関連付けられて記憶部９の収集投影データ記憶部９Ａに保存されるとともに（Ｓ０２）、前処理部５により上記前処理が施されて再構成処理部６に送信される（Ｓ０３）。再構成処理部６は、前処理が施された収集投影データを再構成して、各スライスの再構成データを作成する（Ｓ０４）。このとき、減弱補正も施される。
【００３５】
図３は、この再構成処理を概念的に示す図である。符号１００Ａ、１００Ｂ、１００Ｃは、それぞれ、検出器２Ａ、２Ｂ、２Ｃにより検出された放射線に基づく１スライスの収集投影データを示し、符号２００は、これら収集投影データ１００Ａ、１００Ｂ、１００Ｃから３次元逆投影法等の手法で作成された再構成データ２００を示している。なお、実際は、収集投影データ１００Ａ等は２次元の画像データとして得られ、再構成データは３次元の画像データとして得られるが、図３では、図示の簡略化のために、それぞれ１次元データ、２次元データで表されている（後述の図４についても同様）。
【００３６】
推定データ作成部７は、図４に概念的に示すように、再構成処理部６から受けた再構成データ２００を、収集投影データと同じ投影方向に投影（加算や線積分など）することにより、検出器２Ａの投影方向に対応する推定投影データ３００Ａ、検出器２Ｂの投影方向に対応する推定投影データ３００Ｂ、検出器２Ｃの投影方向に対応する推定投影データ３００Ｃをそれぞれ作成する（Ｓ０５）。これら推定投影データ３００Ａ、３００Ｂ、３００Ｃは、制御部８によって推定投影データ記憶部９Ｂに保存される（Ｓ０６）。推定データ作成部７は、各スライスの再構成データについて当該作成処理を実行する。
【００３７】
制御部８は、収集された各スライスの収集投影データと推定投影データとを記憶部９から読み出し、対応する収集投影データと推定投影データとのペアを表示モニタ１１に重ねて表示させるとともに（Ｓ０７）、誤差算出手段８Ａにより、各ペアの収集投影データ及び推定投影データについて、分散値等の誤差を算出する（Ｓ０８）。例えば、図５に示すように、図３及び図４に示した、検出器２Ａの投影方向に対応する収集投影データ１００Ａ（点線）と推定投影データ３００Ａ（実線）とを重ねて表示させる。ここで、符号１０１Ａは、投影データ１００Ａ中の着目部位を表し、符号３０１Ａは、投影データ３００Ａ中の着目部位を表している。同様に、収集投影データ１００Ｂと推定投影データ３００Ｂ、収集投影データ１００Ｃと推定投影データ３００Ｃについても重畳表示される。
【００３８】
データ選択手段８Ｂは、誤差算出手段８Ａにより算出された誤差を、あらかじめ設定された所定値と比較して大小を判断する（Ｓ０９）。全ての収集投影データと推定投影データのペアについて、誤差が当該所定値よりも小さいと判断された場合（Ｓ１０；Ｎ）、制御部８は、それら収集投影データに基づく再構成データを検査結果、すなわち被検体内におけるＲＩの分布画像として表示モニタ１１に表示させる（Ｓ２０）。
【００３９】
一方、当該所定値よりも誤差の大きな収集投影データと推定投影データのペアがある場合（Ｓ１０；Ｙ）、データ選択手段８Ｂは、その収集投影データ及び推定投影データを選択してデータ補正手段８Ｃに送る（Ｓ１１）。ここで、当該所定値よりも誤差の大きな収集投影データ等を全て選択する代わりに、それらのうちの幾つかを選択するようにしてもよい。また、このような選択処理を自動的に実行する代わりに、オペレータが操作部１０（選択操作手段）を操作することにより、所望のペアを選択するようにしてもよい。その場合、誤差の値を表示モニタ１１に表示させ、オペレータは、その誤差の値を参照しながら当該選択処理を行うようにしてもよい。更に、この選択処理では複数のスライスの収集投影データ及び推定投影データのペアを選択することができる。
【００４０】
このステップＳ１１において選択された収集投影データと推定投影データのペアは、データの位置ズレ（誤差）の大きなスライスに相当するものである。したがって、上記所定値を適宜設定することにより、当該ペアを含むスライスは、被検体の体動に起因する誤差を有する部位の検査結果であると推定できる。
【００４１】
データ補正手段８Ｃは、データ選択手段８Ｂにより選択された収集投影データと推定投影データのペアのうち、収集投影データを２次元的に（上下左右に）移動させながら推定投影データとの誤差を逐次求め、その誤差が最小となる収集投影データの位置を決定することで補正処理を行う（Ｓ１２）。例えば、図５に示す収集投影データ１００Ａと推定投影データ３００Ａを補正する場合、点線表示の収集投影データ１００Ａを２次元的に移動させながら推定投影データ３００Ａとの誤差を逐次算出し、この誤差の値が最小となる収集投影データの位置を決定する。なお、「誤差最小」の位置を決定する代わりに、許容可能な誤差の値をあらかじめ設定しておき、当該誤差の設定値よりも誤差が小さくなるような収集投影データの位置を求めるようにしてもよい。ここで、データ補正手段８Ｃは、誤差の補正を施した収集投影データに対して、後述のような回転中心補正を行うこともできる。
【００４２】
制御部８は、ステップＳ１２における補正後の収集投影データの移動量つまり補正量を、当該収集投影データと関連付けて記憶部９の補正量記憶部９Ｄに保存するとともに（Ｓ１３）、この補正後の収集投影データと推定投影データとを表示モニタ１１に重ねて表示させる（Ｓ１４）。ここで、補正後の誤差の値も一緒に表示するようにしてもよい。
【００４３】
オペレータは、重ねて表示された補正後の収集投影データと推定投影データを見て更なる補正が必要と判断する場合、操作部１０（表示位置移動操作手段）を操作し、収集投影データを推定投影データに合わせるように上下左右に移動させることにより、手動で誤差を調整することにより補正を行うことができる（Ｓ１５）。
【００４４】
制御部８は、補正された収集投影データを再構成処理部６に送信する。再構成処理部６は、この補正された収集投影データを再構成して新たな再構成データを作成する（Ｓ０４）。推定データ作成部７は、この新たな再構成データに基づき、上記と同様の方法により新たな推定投影データを作成する（Ｓ０５）。
【００４５】
制御部８は、新たな推定投影データと元の収集投影データのペアを表示モニタ１１に重ねて表示させるとともに（Ｓ０７）、誤差算出手段８Ａにより、当該ペアについての分散値等の誤差を算出する（Ｓ０８）。データ選択手段８Ｂは、この誤差を、上記の所定値と比較して大小を判断する（Ｓ０９）。
【００４６】
データ補正手段８Ｃは、当該所定量よりも誤差が大きいと判断された新たな推定投影データと元の収集投影データのペアに対して補正処理を行う（Ｓ１２）。このとき、データ補正手段８Ｃは、ステップＳ１３において補正量記憶部９Ｄに保存された補正量を呼び出し、元の収集投影データを当該補正量だけ移動させたうえで今回の補正処理を実行する。そして、元の収集投影データの前回及び今回の補正量（移動量）の総和が算出され、補正量記憶部９Ｃに保存される（Ｓ１３）。３回目以降の補正処理では、データ補正手段８Ｃは、前回までの補正量の総和に基づいて補正処理を実行するとともに、今回までの補正量の総和を補正量記憶部９Ｃに保存する。
【００４７】
以上の処理を、ステップＳ１０において「Ｎ」と判断されるまで反復し、そのときの再構成データに基づくＲＩの分布画像を表示モニタ１１に表示させる（Ｓ２０）。以上で、本実施形態の核医学診断装置１による体動補正処理を終了する。核医学診断装置１は、このような処理により、元の収集投影データを逐次補正するように構成されている。
【００４８】
［作用効果］
この核医学診断装置１によれば、収集された各スライスの収集投影データについて、３次元の再構成データを作成し、この再構成データを投影して２次元の推定投影データを作成し、この推定投影データに対するオリジナルの収集投影データの位置のズレ（誤差）が小さくなるように２次元的に補正を行うことができる。この誤差は、上述のように被検体の体動に起因するものと推定できる。当該補正処理は、誤差の大きなスライスに対して選択的に行われるので、スライスの並び方向、すなわち体軸方向に実行可能である。また、選択された各スライスのスライス面方向、すなわち体軸に直交する方向における補正も実行することができる。
【００４９】
また、核医学診断装置１によれば、一旦補正がなされた収集投影データを再構成して新たな再構成データが作成され、この新たな再構成データを投影して新たな推定投影データが作成され、この新たな推定投影データと元の収集投影データとの誤差を更に小さくする補正を逐次実行するようになっている。したがって、誤差が十分に小さくなるまで補正を反復することができ、高精度の体動補正を実行することが可能となる。
【００５０】
また、補正処理が自動的に実行されるように構成されているので（ステップＳ１２参照）、心臓や肝臓等の着目部位の画像が明瞭に表示されない場合であっても、体動補正を好適に実行することができる。
【００５１】
また、誤差算出手段８Ａにより算出された誤差を表示モニタ１１に表示させることにより、オペレータ自身による手動での補正を支援することができ、体動補正の高精度化を図ることができる。
【００５２】
［回転中心補正について］
本発明に係る核医学診断装置１により実行可能な回転中心補正について説明する。この回転中心補正は、上述した体動補正の精度を向上させるとともに、核医学検査の精度を向上させる補正処理である。
【００５３】
図２のフローチャートのステップＳ１２における誤差補正処理は、推定投影データに合わせるように収集投影データを２次元的に移動させることにより行われる。そこで、定期点検時等に測定された回転中心の補正量、すなわち、前処理（ステップＳ０３）における回転中心の補正量をΔｘ０、Δｙ０（回転中心補正は、検出器２の入射面における２次元のズレの補正である）とするとき、データ補正手段８Ｃは、逐次補正における第１回目のデータ補正において、収集投影データに対する２次元の誤差補正量ΔＸ１、ΔＹ１を、Δｘ０−ΔＸ１＝Δｘ１、Δｙ０−ΔＹ１＝Δｙ１に変更する。これにより、第１回目の誤差補正における補正量を考慮した回転中心の補正量Δｘ１、Δｙ１が取得される。
【００５４】
第２回目以降のデータ補正時においても、同様の回転中心補正を逐次実行できる。すなわち、第Ｎ−１回目の誤差補正における補正量をΔｘ（Ｎ−１）、Δｙ（Ｎ−１）とすると（Ｎ≧２）、データ補正手段８Ｃは、第Ｎ回目の誤差補正ΔＸＮ、ΔＹＮを施した収集投影データの回転中心補正量をΔｘ（Ｎ−１）−ΔＸＮ＝ΔｘＮ、Δｙ（Ｎー１）−ΔＹＮ＝ΔｙＮに変更する。それにより、第Ｎ回目の誤差補正における補正量を考慮した回転中心の補正量ΔｘＮ、ΔｙＮが取得される。
【００５５】
このような回転中心補正を行うことにより、検査時に被検体の体動が生じた場合であっても回転中心補正を適宜実行することができ、また、本発明に係る体動補正処理の精度を更に向上させることができる。
【００５６】
以上に詳述した内容は、本発明を実施するための一構成例に過ぎないものであり、したがって、本発明の要旨の範囲内において各種の変形を施すことは当然に可能である。
【図面の簡単な説明】
【００５７】
【図１】本発明に係る核医学診断装置の実施形態の概略構成の一例を示すブロック図である。
【図２】本発明に係る核医学診断装置の実施形態により実行される処理手順の一例を示すフローチャートである。
【図３】本発明に係る核医学診断装置の実施形態により実行される処理手順の一例を説明するための概略図である。
【図４】本発明に係る核医学診断装置の実施形態により実行される処理手順の一例を説明するための概略図である。
【図５】本発明に係る核医学診断装置の実施形態により実行される処理手順の一例を説明するための概略図である。
【符号の説明】
【００５８】
１  核医学診断装置
２Ａ、２Ｂ、２Ｃ  検出器
３  位置計算部
４  データ収集部
５  前処理部
５Ａ  散乱線補正手段
５Ｂ  回転中心補正手段
５Ｃ  均一性補正手段
６  再構成処理部
６Ａ  減弱補正手段
７  推定データ作成部
８  制御部
８Ａ  誤差算出手段
８Ｂ  データ選択手段
８Ｃ  データ補正手段
９  記憶部
９Ａ  収集投影データ記憶部
９Ｂ  推定投影データ記憶部
９Ｃ  再構成データ記憶部
１０  操作部
１１  表示モニタ
１００Ａ、１００Ｂ、１００Ｃ  収集投影データ
２００  再構成データ
３００Ａ、３００Ｂ、３００Ｃ  推定投影データ
【図１】
2006250842.tif 000004
【図２】
2006250842.tif 000005
【図３】
2006250842.tif 000006
【図４】
2006250842.tif 000007
【図５】
2006250842.tif 000008